(57)【要約】【課題】天板の下面部に引出しを配置しているキャビネットにおいて、引出しの引き操作の容易性を損なうことなく、引出しの鏡板に主として上方に開口した引手穴を形成することを可能ならしめる。【手段】上段引出し３の切欠き部１４には、引手枠３１により、上向きに開口した引手穴１３が装着されている。他方、本体２の天板７の前部には、上段引出し３の引手穴１３と平面視で重なる状態で切欠き部１４が形成されている。切欠き部１４には保護枠２２を装着している。引手穴１３が上方のみ又は主として上方に開口していても、切欠き部１４を介して指Ｆを引手穴１３に差し込んで上段引出し３を引き出すことができる。【選択図】図３
2008099769.tif 000002
【特許請求の範囲】
【請求項１】
左右側板と天板とを有して前向きに開口した本体と、前記天板に近接した状態で本体に装架された引出しとを備えており、
前記引出しはその前面を構成する鏡板を有しており、前記鏡板に、人が指を上方から差し込み得るよう上向きに開口した引手穴が形成されている一方、
前記本体における天板の前部は前記引出しの鏡板と平面視で重なっており、前記本体における天板の前部のうち平面視で前記引出しの引手穴と重なっている部分に、上下及び前向きに開口した切欠き部を形成している、
キャビネット。
【請求項２】
左右側板と天板とを有して前向きに開口した本体と、前記天板に近接した状態で本体に装架された引出しとを備えており、
前記引出しはその前面を構成する鏡板を有しており、前記鏡板に、人が指を上方から差し込み得るよう上向きに開口した引手穴が形成されている一方、
前記本体における天板の前部は前記引出しの鏡板と平面視で重なっており、前記本体における天板の前部のうち平面視で前記引出しの引手穴と重なっている部分に、下方と前方とに開口して上面は庇片で覆われた切欠き部が形成されており、前記庇片を人が下方から指を掛けることができない薄い板状に形成することにより、前記切欠き部を天板の上面近傍まで開口させている、
キャビネット。
【請求項３】
前記本体は机の天板の下方の空間に配置できる高さになっていてこの本体に上下複数段の引出しが装架されており、前記複数段の引出しのうち最上段の引出しの鏡板に前記上向き開口の引手穴を設けている、
請求項１又は請求項２に記載したワゴン式のキャビネット。
【発明の詳細な説明】
【技術分野】
【０００１】
本願発明は、例えば机の袖として使用されるワゴン式袖キャビネットのように、引出しを有するキャビネット（収納家具と呼んでもよい）に関するものである。
【背景技術】
【０００２】
机の袖として使用する袖キャビネットには天板を支持する機能を有した固定式のものと、机から独立していて移動自在なワゴンタイプとがある。いずれにしても、袖キャビネットは複数段の引出しを備えており、最上段の引出しは深さが浅い小物入れになっているのが通例である。
【０００３】
そして、キャビネットの各引出しの前面はある程度の厚さの鏡板で構成されていてこの鏡板に引手を設けており、一般には、鏡板に前向き開口の引手穴を空けてこの引手穴に引手枠を装着していることが多いが、袖キャビネットにおける最上段の引出しにおいては、例えば特許文献１に開示されているように、スペースの制約の問題やデザイン上の要請から、引手穴を上向きに開口した形態と成すことがある。
【０００４】
特許文献１では、最上段の引出しの引手穴（上向切欠窓）は前方にも大きく開口しており、引手穴の前端縁に指を引っ掛けるためのごく低い突条が形成されている。他方、本体の天板の前部には、キャビネット全体を手前に引くに際して人が指を掛けるための下向き開口の凹所（下向切欠窓）が、引出しの引手穴と連通した状態に形成されており、更に、天板の前端板のうち凹所の部分を正面視で下向き凹状に若干の寸法だけ切欠くことにより、引出しの引手穴に指を掛けることを容易ならしめている。
【特許文献１】特公平８−２３２６号公報
【発明の開示】
【発明が解決しようとする課題】
【０００５】
人が引出しの上方から指を差し込んで引出しを引く場合、引出し動作を容易ならしめるには指の引っ掛かりが良くなければならず、そのためには引手穴はできるだけ深いのがよい。すなわち、引手穴の前端部縁の高さをできるだけ高くして指の引っ掛かり代を大きくするのが良い。
【０００６】
しかし、特許文献１は、本体における天板の前端板に指を掛けることを必須の要件としているため、指が天板に当たらないようにするためには引出しの引手穴は鏡板の前方にも大きく開口させざるを得ず、すると、指を掛けるための突条は必然的に高さが低くなり、その結果、引出しの引き操作を行いにくいという問題が生じている。
【０００７】
また、デザインや美観の点から引手穴を鏡板の上方のみに開口させたいという要請があるが、特許文献１では引手穴を上方のみに開口させると天板が邪魔になって引手穴に指を掛けることはできないため、このような要請には全く応えることができないのであり、この点も特許文献１の問題であった。
【０００８】
本願発明は、これらの問題を解消したキャビネットを提供することを課題とするものである。
【課題を解決するための手段】
【０００９】
本願発明のキャビネットは、「左右側板と天板とを有して前向きに開口した本体と、前記天板に近接した状態で本体に装架された引出しとを備えており、前記引出しはその前面を構成する鏡板を有しており、前記鏡板に、人が指を上方から差し込み得るよう上向きに開口した引手穴が形成されている」という基本構成になっている。
【００１０】
そして、請求項１の発明は、基本構成に加えて、「前記本体における天板の前部は前記引出しの鏡板と平面視で重なっており、前記本体における天板の前部のうち平面視で前記引出しの引手穴と重なっている部分に、上下及び前向きに開口した切欠き部を形成している」、という構成が附加されている。
【００１１】
請求項２の発明は、請求項１と同じ基本構成において、「前記本体における天板の前部は前記引出しの鏡板と平面視で重なっており、前記本体における天板の前部のうち平面視で前記引出しの引手穴と重なっている部分に、下方と前方とに開口して上面は庇片で覆われた切欠き部が形成されており、前記庇片を人が下方から指を掛けることができない薄い板状に形成することにより、前記切欠き部を天板の上面近傍まで開口させている」、という構成が附加されている。
【００１２】
本願発明は様々のバリエーションを含んでおり、請求項３では好適な適用例としてワゴン式のキャビネットを例示している。すなわち請求項３の発明は、請求項１又は２において、前記本体は机の天板の下方の空間に配置できる高さになっていてこの本体に上下複数段の引出しが装架されており、前記複数段の引出しのうち最上段の引出しの鏡板に前記上向き開口の引手穴を設けている。
【発明の効果】
【００１３】
本願発明では、天板の前部に形成した切欠き部は前方に完全に開口しているか又は前方に大きく開口しているため、引出しにおける上向き開口の引手穴の深さを深くしても、人は天板に邪魔されることなく指を引出しの引手穴に差し込むことができる。このため、引出しの引き操作を至極容易に行える。また、引手穴を切欠き部の上方のみに開口した状態に形成することもできるため、デザインの自由性も向上させることができる。
【００１４】
机の天板の下方に配置する袖キャビネット（ワゴン）の場合、袖キャビネットの全体が机の天板で隠れることから引手穴を視認しにくい場合があるが、本願発明ではキャビネット本体の天板の前部が切欠かれていることにより、キャビネット本体の天板の切欠き部と上段の引出しの引手穴とを一体のものとして視認できるため、引手穴位置を一目で把握できる。従って、本願発明は、請求項３のように机に使用する袖キャビネットにおいて特に真価が発揮されると言える。
【発明を実施するための最良の形態】
【００１５】
次に、本願発明の実施形態を図面に基づいて説明する。図１〜図４では請求項１を具体化した第１実施形態を示している。図１のうち（Ａ）は使用状態の一例を示す斜視図、（Ｂ）は全体の斜視図、図２は引出しを引き出した状態での平面図、図３は図１（Ｂ）の III-III視断面図、図４のうち（Ａ）は図２の IVA-IVA視断面図、（Ｂ）は図２の IVB-IVB視断面図である。
【００１６】
(1).第１実施形態
図１（Ａ）に示すように、本実施形態は、机Ｄの天板Ｄ１の下方に配置するワゴン方式の袖キャビネット１に適用している。従って、袖キャビネット１は机Ｄにおける天板Ｄ１の下方に入り得る高さになっている。袖キャビネット１の基本的な構成は従来と同様であり、主要要素として、前向きに開口した本体２と、本体２の内部に装架した上中下３段の引出し３，４，５を備えている。以下の説明では、３段の引出しは、上段引出し３，中段引出し４，下段引出し５と称して区別している。
【００１７】
本体２は、左右側板６と天板７と背板（図示せず）とを備えており、左右側板６及び天板７は正面視である程度の厚さを持っている。図示していないが、本体２の下面にはキャスターを設けている。他方、各引出し３，４，５はそれぞれ前面を構成する鏡板８，９，１０を備えている。各鏡板８，９，１０は平面視及び側面視である程度の厚さを持っており、正面視で本体２の左右側板６と重なる左右寸法になっている。
【００１８】
そして、本体２における天板７の前部７ａは、平面視で各引出し３〜５の鏡板８〜１０と重なるように側板６の前方にはみ出ている。なお、天板７のうち符号７ｂで表示された部分を側板６の前方に突出したはみ出し部と呼び変えることもできる。天板７の上面にはメラミン樹脂等の化粧層を設けている。
【００１９】
中段引出し４と下段引出し５の鏡板９，１０には、その上部でかつ左右略中間の部位に前向き開口の引手穴１１が空いており、この引手穴１１に引手枠１２を装着している。他方、上段引出し３における鏡板９の左右中間部には、上向きに開口した左右横長の引手穴１３が空いており、かつ、本体２における天板７の前部７ｂのうち上段引出し３の引手穴１３と平面視で重なる部分には、上下方向及び前方（手前方向）に開口した切欠き部１４が形成されている。
【００２０】
従って、図３に示すように、人は天板７の切欠き部１４から上段引出し３の引手穴１３に指Ｆを差し入れて上段引出し３を引き出すことができる。以下、天板７と上段引出し３との具体的な構造を説明する。
【００２１】
本実施形態では、本体２及び引出し３〜５とも大部分が鋼板等のスチールを素材として製造されている。図３及び図４から理解できるように、本体２の天板７は基部としての平面視矩形の上面板７ｂを有しており、上面板７ｂの四周をコ字状に折り曲げることによって全体として下向き開口の浅い箱状に形成されている。従って、天板７は鉛直状の左右側片７ｃ・前片７ｄ・後片（図示せず）を備えており、左右側片７ｃにはサイドエッジ１６を装着し、前片７ｄにはフロントエッジ１７を装着し、後片にはリアエッジ（図示せず）を装着している。
【００２２】
また、図３及び図４（Ｂ）に示すように、本体の側板６の上端縁には上水平片６ａを形成している一方、天板７の側片７ｃにも下水平片７ｅを折り曲げ形成しており、両者をビスで直接に固定するか、又は、両者と後述する第１補強材１９とをビスで共締めすることにより、天板７を本体２に固定している。なお、キャビネット１は、天板７を取り外して机Ｄの天板Ｄ１に固定できるようになっている（すなわち固定式袖キャビネットとして使用できるようになっている）。
【００２３】
図４（Ａ）に示すように、天板７の空間部のうち前寄りの部位には、框としての役割を持つ第１補強材１９が溶接によって固着されており、第１補強材１９の存在により、天板７のうち前端寄りのある程度の範囲は中空になっている。また、上面板７ｂと第１補強材１９との間には側断面上向き開口コ字状の第２補強材２０が介在しており、この第２補強材２０は上面板７ｂ又は第１補強材１９に溶接されている。
【００２４】
第１補強材１９は前寄りの１／３程度の範囲から後方の部分が若干の寸法だけ上方に段落ちしており、第２補強材２０は段落ちした部分において第１補強材１９に重なっている。言うまでもないが、フロットエッジ１７は切欠き部１４の箇所において左右に分断している。図４に示す符号２１は、前片７ｄに形成した水平部と第１補強材１９とを位置決めするための補助部材である。
【００２５】
図３に示すように、切欠き部１４は第２補強材２０の前端まで延びている。そして、切欠き部１４には、平面視前向き開口コ字状の保護枠２２を装着している。保護枠２２は、上面板７ｂと第１補強材１９との間の空間に入り込む左右複数本の足板２３を有しており、足板２３に形成した爪部２３ａを第１補強材１９に形成した係合穴２４に嵌め入れている。各足板２３は、上面板７ｂに重なった上板２５に一体に繋がっている。また、保護枠２２には、天板７の上面板７ｂの開口縁に嵌まる凹溝２６を形成している。
【００２６】
図示していないが、保護枠２２の下部でかつ左右側面には左右外側に突出した横向き係合爪が形成されており、横向き係合爪は第１補強材１９に空けた係合穴に嵌まるようになっている。
【００２７】
上段引出し３の鏡板８は、四周が断面コ字状に折り曲げられていて後ろ向き開口の箱状に形成されており、上水平片８ａを有している。また、鏡板８の裏面には前向きに開口した浅い箱状の裏カバー２８が固定されており、底板２９ａと左右側板２９ｂとを有する収納部２９は裏カバー２８を囲う状態で鏡板８に固定されている。上段引出し３（及び他の引出し）は、図３に簡略して表示するサスペンションレール３０を介して本体２の側板６で前後動自在に支持されている。
【００２８】
そして、鏡板８の上水平片８ａを平面視矩形に切除することで引手穴１３を形成し、引手穴１３には、上向きに開口した樹脂製の引手枠３１を装着している。引手枠３１の前端部には、引手穴１３の開口縁の前部に嵌まる凹溝３２を形成している。また、引手枠３１の上部後端には、鏡板８に形成した引手穴１３の後端縁に下方から係合する爪３１ａを設けている。
【００２９】
そして、既述のとおり、上段引出し３は、指Ｆを引手枠３１（引手穴１３）に挿入して手前に引き出すことができるが、天板７に切欠き部１４が存在することにより、引手穴１３が上方のみに開口した状態でありながら、天板７に阻害されることなく上段引出し３を引き出すことができるのであり、また、天板７の切欠き部１４を介して上段引出し３の引手穴１３を容易に視認できるため、人はまごつくことなく上段引出し３を引き出すことができる。
【００３０】
(2).第２実施形態（図５〜６）
図５及び図６では第２実施形態を示している。図５は要部の縦断側面図、図６は図５のVI−VI視断面図である。この実施形態は基本的には第１実施形態と同じであり、主たる相違点として、天板７が前部の補強手段として第１補強材１９しか備えておらずにその前面に形成した係合穴１９ａに保護枠２２の係合爪２２ａを嵌め込んでいる。また、引手枠３１の前面は鏡板８の前面と揃えられており、引手枠３１の左右両側に壁状の左右縁部３１ａを突設している。更に、天板７を本体２に固定する構造として、本体６の上水平片６ａと天板７の下水平片７ｅとに貫通したビス３５を天板７の補強材１９にねじ込んでいる。第１補強材１９にはビス３５がねじ込まれるバーリング部１９ｂを形成している。
【００３１】
(3).第３実施形態（図７）
図７では請求項２を具体化した第３実施形態を示している。図７は要部縦断側面図である。この第３実施形態では、天板７と上段引出し３の鏡板８とはそれぞれ木製になっている。そして、上段引出し３の左右中間部を上向きのコ字状に切欠いて、切欠き部に引手枠３１を装着することで引手穴１３を形成しているが、引手枠３１の前壁３１ｃを後部壁３１ｄよりも低い高さとすることにより、引手穴１３は前方にも開口した形態となしている。
【００３２】
他方、天板７の左右中間部を平面視コ字状に切欠いて、この切欠き部に保護枠２２を装着することで切欠き部１４を形成するにおいて、保護枠２２に薄板状の庇片２２ｂを設けることにより、切欠き部１４は下方と前方とに開口した形態と成している。
【００３３】
この実施形態でも、切欠き部１４は天板７の厚さの大部分を切除した状態で前向きに開口しているため、引手枠３１に十分な深さを確保して指の掛かりを良くした状態であっても、上段引出し３を容易に引き出すことができる。なお、天板７の保護枠２２における庇片２２ｂの下面には、補強用の左右横長リブを設けることも可能であるが、いずれにしても、庇片２２ｂに下方から指を掛けて袖キャビネット１の全体を引き出し得るような突出高さではない。
【００３４】
(4).その他
本願発明は上記の実施形態の他にも様々に具体化できる。例えば、引手穴及び切欠き部の左右位置や左右長さ寸法は必要に応じて設定できる。また、引手穴と切欠き部とは平面視で部分的に重なっていたら足りるのであり、従って、引手穴が鏡板の全長にわたって形成されていて、切欠き部が天板の一部に形成されているといった態様も採択可能である。
【００３５】
また、本願発明の適用対象は机用の袖キャビネットには限定されない。例えば、天板の下面部のみに引出しが配置されていて、引出しの下方が引き戸や回動式扉で覆われた収納部になっているものなどにも適用できる。更に、引出しの鏡板が本体の内部に入り込んだタイプのキャビネットもあるが、当然ながら本願発明はこのタイプのキャビネットにも適用できる。本体の天板や引出しの鏡板は樹脂製とすることも可能である。
【００３６】
実施形態は天板を本体から取り外しできるタイプに適用しているが、本願発明は、例えば天板を本体に溶接によって固着したタイプのキャビネットにも適用できる。
【図面の簡単な説明】
【００３７】
【図１】第１実施形態を示す図であり、（Ａ）は使用状態の一例を示す斜視図、（Ｂ）は全体の斜視図である。
【図２】引出しを引き出した状態での平面図である。
【図３】図１（Ｂ）の III-III視断面図である。
【図４】（Ａ）は図２の IVA-IVA視断面図、（Ｂ）は図２の IVB-IVB視断面図である。
【図５】第２実施形態の縦断側面図である。
【図６】図５のVI−VI視断面図である。
【図７】第３実施形態の要部縦断側面図である。
【符号の説明】
【００３８】
１  袖キャビネット
２  本体
３  上段引出し
４  中段引出し
１３  上段引出しの引手穴
１４  天板の切欠き部
２２  保護枠
３１  引手枠
【図１】
2008099769.tif 000003
【図２】
2008099769.tif 000004
【図３】
2008099769.tif 000005
【図４】
2008099769.tif 000006
【図５】
2008099769.tif 000007
【図６】
2008099769.tif 000008
【図７】
2008099769.tif 000009